(57)【要約】【課題】携帯機器では、蓄電池の残量が低下すると、充電を行わないと使用することができない。【解決手段】蓄電池２に一次電池３を接続可能な端子６を設けたことにより、本体１を蓄電池２で使用中に電池残量が無くなったとしても、補助的に一次電池３を接続可能としたので、本体１の使用持続時間を長くすることができる。また、比較的入手しやすい一次電池３を使用可能としたので、使い勝手も優れる。また、一次電池３を接続する端子６を蓋部９に設け、蓋部９を蓄電池２に対して収納可能としたことにより、蓄電池２の美観や品格を損なわないですむ。【選択図】図１
2006033983.tif 000002
【特許請求の範囲】
【請求項１】
電池により動作する携帯機器であって、本携帯機器に着脱自在でかつ本携帯機器に電力供給可能な第１の電池と、前記第１の電池の外郭に収納自在に設けられかつ第２の電池を着脱自在な装着手段とを備えたことを特徴とする携帯機器。
【請求項２】
記録媒体に映像信号や音声信号を記録および再生する携帯機器であって、前記携帯機器の本体部と、脱着自在な第１の蓄電池と、第１の蓄電池と脱着自在である第２の電池と、前記第１の蓄電池から前記携帯機器への電力の供給を前記第２の電池から前記携帯機器への電力の供給へ切替える電池切替手段とを有することを特徴とする携帯機器。
【請求項３】
装着手段が第２の電池を着脱可能な状態の時は、前記第２の電池からの電源電圧を装置本体へ供給し、前記装着手段が前記第２の電池を着脱不可能な状態の時は、第１の電池からの電源電圧を装置本体へ供給するよう切り換えることを特徴とする請求項１記載の携帯機器。
【発明の詳細な説明】
【技術分野】
【０００１】
本発明は、バッテリで動作する携帯機器に関するものである。
【背景技術】
【０００２】
近年、磁気記録再生を行うビデオカメラなどの、携帯機器において小型軽量化が進んでいる。又、携帯機器の本体の小型軽量化に伴い、携帯機器を動作させる蓄電池も同様に小型化が進んでいる。
【０００３】
蓄電池を小型化した場合の問題点は  電池容量が低下する事であり、結果として、携帯機器の使用時間が短くなり、必要な時に使用できないことがあった。これを防止するためには、複数の蓄電池を用意するか、大型の蓄電池を使用すれば良いが、携帯性を損なったり、複数の蓄電池を購入するため、経済的な負担が大きくなる問題点を有していた。
【０００４】
上記問題点を回避する手段として、従来の携帯機器では（特許文献１参照）交換用の蓄電池を購入して使用する代わりに、１次電池を収納した１次電池保持アダプタを用意し、携帯機器に接続することにより、電力を供給していた。
【特許文献１】登録実用新案第３０８７８２３号公報
【発明の開示】
【発明が解決しようとする課題】
【０００５】
しかしながら従来の技術では、蓄電池の残量が低下して、携帯機器が使用できない状態になった時、臨時の電源として、入手が容易な１次電池を使用するためには、前記１次電池保持アダプタを、常に持ち運ぶ必要があり、携帯性が課題であった。
【０００６】
本発明は上記問題点に鑑み、記録媒体に映像信号や音声信号を記録および再生する携帯機器であって、前記携帯機器の本体部と、脱着自在な蓄電池と、蓄電池と脱着自在である第２の電池と、前記蓄電池と前記第２の電池の切替を行う電池切替手段とを備えることを特徴とする。
【課題を解決するための手段】
【０００７】
上記課題を解決するために本発明は、電池により動作する携帯機器であって、本携帯機器に着脱自在でかつ本携帯機器に電力供給可能な第１の電池と、前記第１の電池の外郭に収納自在に設けられかつ第２の電池を着脱自在な装着手段とを備え、これにより、記録媒体に映像信号や音声信号を記録および再生する携帯機器であって、前記携帯機器の本体部と、脱着自在な蓄電池と、蓄電池と脱着自在である第２の電池と、前記蓄電池と前記第２の電池の切替を行う電池切替手段とを備えることを特徴とする。
【発明の効果】
【０００８】
本発明の携帯機器は、旅行先で蓄電池の残量が低下して使用できなくなった場合、蓄電池に充電を行わなくても、容易に入手可能な１次電池を第２の電池として、蓄電池に接続することにより、直ちに携帯機器を使用できるという効果がある。このとき、本発明では１次電池を格納するための、１次電池保持アダプタを携帯する必要は無く、１次電池を入手し、接続するだけで良いという効果がある。
【発明を実施するための最良の形態】
【０００９】
本発明の請求項１に記載の発明は、電池により動作する携帯機器であって、本携帯機器に着脱自在でかつ本携帯機器に電力供給可能な第１の電池と、前記第１の電池の外郭に収納自在に設けられかつ第２の電池を着脱自在な装着手段とを備えたものである。
【００１０】
請求項２に記載の発明は、記録媒体に映像信号や音声信号を記録および再生する携帯機器であって、前記携帯機器の本体部と、脱着自在な第１の蓄電池と、第１の蓄電池と脱着自在である第２の電池と、前記第１の蓄電池から前記携帯機器への電力の供給を前記第２の電池から前記携帯機器への電力の供給へ切替える電池切替手段とを有することを特徴とする携帯機器。
【００１１】
請求項３に記載の発明は、装着手段が第２の電池を着脱可能な状態の時は、前記第２の電池からの電源電圧を装置本体へ供給し、前記装着手段が前記第２の電池を着脱不可能な状態の時は、第１の電池からの電源電圧を装置本体へ供給するよう切り換えるものである。
【００１２】
以下、本発明の実施の形態について説明する。
【００１３】
（実施の形態１）
図１は  本発明装置の蓄電池を使用した場合の実施形態の斜視図である。図２は  本発明装置の蓄電池に一次電池を接続し、電力を携帯機器へ供給する手段の説明図である。図３は本実施の形態における蓄電池の詳細構成を示す断面図で、図２におけるＭ−Ｍ部の断面である。
【００１４】
図１において、１は本実施の形態の携帯機器である本体部で、後述する蓄電池２を装着し、その蓄電池２から供給される電源電圧により動作する機器により構成されている。本体部１の例としては、蓄電池により駆動するものであればよく、例えばビデオカメラやデジタルスチルカメラや携帯電話機などがあるが、特に限定はしない。
【００１５】
２は本体部１の所定箇所へ着脱自在でかつ端子部１２を介して本体部１へ電力を供給する蓄電池である。本体部１には、蓄電池２を本体部１に対して取付け、取外しが可能になるように蓄電池２の保持部が設けられており、携帯機器の本体部１と蓄電池２は脱着自在である。蓄電池２の詳細構成を図３に示す。
【００１６】
３は蓄電池２の所定箇所に着脱自在でかつ蓄電池２を経由して本体部１へ電力を供給する１次電池である。蓄電池２には１次電池３を蓄電池２に対して取付け、取外しが可能になるように、１次電池３の保持部が設けられており、蓄電池２に対して１次電池３は脱着自在である。
【００１７】
９は蓄電池２に支軸１１を軸に回動自在に保持された蓋部で、図３における→ＹあるいはＺ方向に回動自在となっている。本実施の形態では、蓄電池２における端子部１２が設けられた面の反対面に蓋部９を設けた構成としたが、設ける位置はこれに限定されるものではなく、機器の形状に応じて適宜配置する場所を変えてもよい。なお、蓋部９は、図３（ｂ）に示す一次電池使用状態で、この状態を保持するような機構を内部に設けてもよい。その機構としては、例えばコイルバネにより蓋部９を矢印Ｙ方向に付勢するようなものが考えられる。また、図３（ａ）に示す収納状態においては、この状態を保持するようにコイルバネで付勢するように構成してもよいし、凹部１０の内部で係合するような構成としてもよい。あるいは、特に収納状態を保持する機構を必ずしも設ける必要もない。
【００１８】
１０は蓄電池２に設けられた凹部で、蓋部９を収納した状態（図３（ａ）の状態）において、蓋部９が蓄電池２に対して面一に収納できるように設けられたものである。
【００１９】
１３は蓋部９を収納状態から容易に引き出すために、蓄電池２の凹部１０近傍に設けられた窪みで、収納状態から蓋部９を引き出す際に、使用者の指を窪み１３に入れることで、使用者の指が容易に蓋部９の下端部に当接することとなり、矢印Ｙ方向へ回動しやすくなる。
【００２０】
６は蓋部９の主面に設けられた端子部で、一次電池３の端子を電気的に接続可能になっており、この端子部６を介して一次電池３から蓄電池２へ電源が供給されることとなる。本実施の形態では、一次電池３の一例として９Ｖ電池を用いた。９Ｖ電池の場合、端子形状が機器側の端子に保持可能なような形状およびバネ性を持っているため、図２に示すように、一次電池３の端子７を容易かつ確実に端子部６に接続できる。なお、本実施の形態では一次電池としたが、二次電池（蓄電池）としても構わない。
【００２１】
以上のように構成された本実施の形態の携帯機器について、以下その動作について説明する。
【００２２】
先ず、蓄電池２のみによって電力供給をする通常の場合について説明する。通常の使用時には、本体部１の電池装着箇所に蓄電池２のみを接続する（図２（ａ）の状態）。その際、蓄電池２に設けられた係合部（図示せず）と、本体部１の電池装着箇所に設けられた被係合部（図示せず）とを機構的に係合させることで、本体部１の電池装着箇所に設けられた端子と、蓄電池２に設けられた端子部１２とが電気的に接続される。これにより本体部１は、蓄電池２から供給される電力により動作し、蓄電池２の電力を消費していく。
【００２３】
蓄電池２の電力が消費され、蓄電池２の残量が所定の値まで低下した時、本体１はその状況を検出し、残量が無くなったことを表示手段に表示した後、動作を停止し、使用できなくなる。この状態で蓄電池を交換するか、他の電力供給源を用意する必要が発生する。
【００２４】
次に、蓄電池２に一次電池３を接続し、携帯機器へ電力を供給する場合について、本件の臨時の場合の電力供給方法を説明する。
【００２５】
蓄電池２の残量が無くなった時、臨時の電池として入手が容易である１次電池を（例えば００６Ｐ  ９Ｖ電池を使用する場合を示す）使用する。１次電池３の取付方法は、先ず図２（ａ）に示す状態から、窪み１３に使用者の指を入れて図３の矢印Ｙ方向へ引き起こし、図２（ｂ）の状態にする。この時、蓋部９は支軸１１を軸に回動する。そして、図２（ｄ）及び図３（ｂ）に示す状態まで回動させる。すると接続端子６が露出する。この接続端子６に１次電池３を、図２（ｄ）の矢印Ａ方向へ移動させ、図２（ｅ）に示すように接続する。
【００２６】
この接続端子６は本件の例では、１次電池として００６P電池（９Ｖ電池）を使用しているため、接続端子６自身で電池を保持する機能を有しており、本件の場合他の特別な保持機構を必要としない。
【００２７】
これにより、１次電池３が蓄電池２に接続され、１次電池３の電力が本体１へ供給されることになり、再度、本体１は使用することが可能となる。
【００２８】
次に、本実施の形態における電源供給について説明する。
【００２９】
図４は本実施の形態における電源供給を説明するためのブロック図で、本体部１と蓄電池２と一次電池３の電気的な接続状態を示している。まず、図２（ａ）及び図３（ａ）に示すように蓋部９が閉じられた状態では、開閉検出部２１は蓋部９の閉状態を検出しているため、スイッチ２２をａ側へ接続し、蓄電池２の電気（第１の電源部２３）だけが本体部１へ供給される。
【００３０】
一方、蓋部９を所定角度開くと、開閉検出部２１は蓋部９が開いた状態を検出し、スイッチ２２をｂ側へ接続する。これにより、１次電池３（第２の電源部２４）からの電気だけが、本体部１へ供給される構成となっている。なお、電池切替手段としてスイッチ２２を設けたが、これは機械的手段および電気的手段のいずれの手段を用いても良い。
【００３１】
これにより、同時に２つの電池の電力が本体１に供給されることが防止でき、かつ蓄電池２に１次電池３の電力が蓄電池に流れ込み、電力が無駄に消費することを防止することができる。但しこの機能は電池の種類や構成により、必ずしも必要な機能ではない。
【００３２】
以上のように本実施の形態によれば、蓄電池２に一次電池３を接続可能な端子６を設けたことにより、本体１を蓄電池２で使用中に電池残量が無くなったとしても、補助的に一次電池３を接続可能としたので、本体１の使用持続時間を長くすることができる。また、比較的入手しやすい一次電池３を使用可能としたので、使い勝手も優れる。また、一次電池３を接続する端子６を蓋部９に設け、蓋部９を蓄電池２に対して収納可能としたことにより、蓄電池２の美観や品格を損なわないですむ。
【００３３】
なお、本例では電池として、自己保持機構を有する１次電池の例として説明したが必ずしもこの電池である必要はなく、他の１次電池の使用にて構成することも可能である。
【００３４】
又、臨時に使用する電池は必ず１次電池である必要もない。
【００３５】
さらに  蓋部９は蓄電池２の形状によっては不要であり、電池切換手段は  手動によるスイッチか、１次電池の外形を認識するようなスイッチによることも可能である。
【産業上の利用可能性】
【００３６】
本発明にかかる携帯機器では、突然の蓄電池の残量低下に対して１次電池のみを用意すれば、臨時に継続使用可能であり、蓄電池を用いた携帯機器全般に対する用途に適用できる。
【図面の簡単な説明】
【００３７】
【図１】本発明の実施の形態に於ける携帯機器を示した斜視図
【図２】本発明の実施の形態に於ける携帯機器の蓄電池に一次電池を接続する手段の斜視図
【図３】同実施の形態における蓄電池の構成を示す断面図
【図４】同実施の形態における電源切換の構成を示すブロック図
【符号の説明】
【００３８】
１    本体部
２    蓄電池
３    １次電池
６    接続端子
９    蓋部
２１    開閉検出部
２２    スイッチ
２３    第１の電源部
２４    第２の電源部
【図１】
2006033983.tif 000003
【図２】
2006033983.tif 000004
【図３】
2006033983.tif 000005
【図４】
2006033983.tif 000006